(57)【要約】【課題】樹脂封止された耐電圧試験対象物１に対して、簡単且つ的確に耐電圧試験を行う。【解決手段】試験対象物１は、入力用１次側端子Ｔｉｎ１，Ｔｉｎ２及び出力用２次側端子Ｔｏｕｔ１，Ｔｏｕｔ１と、動作時にオープンからクローズに切り替えられて１次側端子Ｔｉｎ１，Ｔｉｎ２から入力される電力を取り込むノーマリー・オープン形のリレー用接点１１，１２を有する内部回路と、リレー用接点１１，１２を含めた前記内部回路を封止する樹脂部材ＭＲとを備えている。耐電圧試験を行う場合、予め、各リレー用接点１１，１２箇所を短絡するためのスイッチ４１，４２を外付けしておき、このスイッチ４１，４２により、リレー用接点１１，１２箇所を短絡状態にして、１次側端子Ｔｉｎ１，Ｔｉｎ２及び２次側端子Ｔｏｕｔ１，Ｔｏｕｔ１間と、１次側端子Ｔｉｎ１，Ｔｉｎ２及びＦＧ端子Ｔｆｇ間と、に試験電圧Ｖｔを印加して対象物１の絶縁破壊の有無を確認する。【選択図】図１
2014106134.tif 000002
【特許請求の範囲】
【請求項１】
入力用の１次側端子及び出力用の２次側端子と、
動作時にオープン状態からクローズ状態に切り替えられて前記１次側端子から入力される入力電力を取り込むノーマリー・オープン形のリレー用接点を有し、前記リレー用接点により取り込まれた前記入力電力に対して所定の電気的処理を行い、この処理結果の出力電力を前記２次側端子から出力する内部回路と、
前記リレー用接点を含めた前記内部回路を封止する封止部材と、
を備えた耐電圧試験対象物に対し、前記１次側端子と前記２次側端子との間に所定の試験電圧を印加して、前記耐電圧試験対象物の絶縁破壊の有無を確認する耐電圧試験法において、
前記封止部材の外面に試験用端子を設けておき、
物理的方法又は電気的方法により、前記試験用端子を介して前記リレー用接点箇所を短絡状態にして、前記試験電圧を印加することを特徴とする耐電圧試験法。
【請求項２】
前記耐電圧試験対象物は、
前記封止部材の外面にフレームグランド端子が設けられ、
前記１次側端子及び前記２次側端子間と、前記１次側端子及び前記フレームグランド端子間と、にそれぞれ前記所定の試験電圧を印加して、前記耐電圧試験対象物の前記絶縁破壊の有無を確認することを特徴とする請求項１記載の耐電圧試験法。
【請求項３】
前記物理的方法では、
前記試験用端子にスイッチを接続し、前記スイッチにより、前記試験用端子を介して前記リレー用接点箇所を短絡状態にすることを特徴とする請求項１又は２記載の耐電圧試験法。
【請求項４】
前記電気的方法では、
前記リレー用接点の近傍に配置され、且つ前記試験用端子に接続された励磁用コイルを前記封止部材内に埋設しておき、
前記封止部材の外側から前記試験用端子を介して前記励磁用コイルに電圧を印加し、前記リレー用接点をオープン状態からクローズ状態に切り替えることを特徴とする請求項１又は２記載の耐電圧試験法。
【請求項５】
前記所定の試験電圧は、交流電圧であることを特徴とする請求項１〜４のいずれか１項に記載の耐電圧試験法。
【請求項６】
入力用の１次側端子及び出力用の２次側端子と、
動作時にオープン状態からクローズ状態に切り替えられて前記１次側端子から入力される入力電力を取り込むノーマリー・オープン形のリレー用接点を有し、前記リレー用接点により取り込まれた前記入力電力に対して所定の電気的処理を行い、この処理結果の出力電力を前記２次側端子から出力する内部回路と、
前記リレー用接点を含めた前記内部回路を封止する封止部材と、
を備えた耐電圧試験対象物において、
前記封止部材の外面に配置された試験用端子と、
前記試験用端子を介して物理的又は電気的に前記リレー用接点箇所を短絡状態にする短絡手段と、
を設けたことを特徴とする耐電圧試験対象物。
【請求項７】
前記物理的に前記リレー用接点箇所を短絡状態にする前記短絡手段は、
前記封止部材の外側から前記試験用端子に着脱自在に接続され、前記試験用端子を介して前記リレー用接点箇所を短絡状態にするスイッチであることを特徴とする請求項６記載の耐電圧試験対象物。
【請求項８】
前記電気的に前記リレー用接点箇所を短絡状態にする前記短絡手段は、
前記封止部材内において前記リレー用接点の近傍に配置され、且つ前記試験用端子に接続され、前記封止部材の外側から前記試験用端子に印加される電圧により前記リレー用接点をオープン状態からクローズ状態に切り替える励磁用コイルであることを特徴とする請求項６記載の耐電圧試験対象物。
【請求項９】
前記内部回路は、
電源回路であることを特徴とする請求項６〜８のいずれか１項に記載の耐電圧試験対象物。
【請求項１０】
前記封止部材の外面には、フレームグランド端子が設けられ、
前記電源回路は、
絶縁用の変圧器と、
前記変圧器の入力側に接続された直流／交流変換用のスイッチング素子と、
前記スイッチング素子の入力側に接続され、且つ前記フレームグランド端子に接続されたノイズ抑制用の接地コンデンサと、
を有するスイッチング電源回路であることを特徴とする請求項９記載の耐電圧試験対象物。
【請求項１１】
前記封止部材は、樹脂部材を含む絶縁部材であることを特徴とする請求項６〜１０のいずれか１項に記載の耐電圧試験対象物。
【発明の詳細な説明】
【技術分野】
【０００１】
本発明は、電源装置等の耐電圧試験対象物に所定の試験電圧を印加して、非破壊で、その耐電圧試験対象物における絶縁破壊の有無を確認する耐電圧試験法と、この耐電圧試験法の対象となる耐電圧試験対象物と、に関するものである。
【背景技術】
【０００２】
特許文献１、２等において、非破壊で、電源装置等の耐電圧試験対象物における絶縁破壊の有無を確認するための耐電圧試験装置が開示されている。
【０００３】
従来、耐電圧試験対象物として知られているスイッチング電源装置は、例えば、入力用の１次側端子及び出力用の２次側端子と、動作時にオープン状態からクローズ状態に切り替えられて前記１次側端子から入力される入力電力を取り込むノーマリー・オープン形のリレー用接点を有し、前記リレー用接点により取り込まれた前記入力電力に対して所定の電気的処理を行い、この処理結果の出力電力を前記２次側端子から出力するスイッチング電源回路と、を備えている。スイッチング電源回路は、絶縁用の変圧器（以下「トランス」という。）と、このトランスの入力側に接続された直流／交流変換（以下「ＤＣ／ＡＣ変換」という。）用のスイッチング素子と、このスイッチング素子の入力側に接続され、且つフレームグランド（以下「ＦＧ」という。）端子に接続されたノイズ抑制用の接地コンデンサと、を有している。
【０００４】
前記ノーマリー・オープン形のリレー用接点は、スイッチング電源装置の安全性を向上させるために設けられた漏洩遮断器用のリレー用接点であり、漏電遮断器にてスイッチング電源装置内の漏電が検出されると、そのリレー用接点がクローズ状態からオープン状態に切り替えられて、入力電力を遮断するようになっている。
【０００５】
前記耐電圧試験装置を用いてスイッチング電源装置の耐電圧試験を行う場合は、スイッチング電源装置に対して電源電圧の供給を停止し、スイッチング電源装置を停止状態にするので、リレー用接点がオープン状態である。そのため、治具を用いてリレー用接点を短絡し、１次側端子及びＦＧ端子間と、１次側端子及び２次側端子間とに、それぞれ所定の試験電圧を印加し、ＦＧ端子からの漏れ電流を測定して、スイッチング電源装置における耐電圧の良否を測定している。前記耐電圧試験の際には、治具によってリレー用接点を短絡しているので、そのリレー用接点に電圧が掛かることはない。
【先行技術文献】
【特許文献】
【０００６】
【特許文献１】特開平７−１５１８２０号公報
【特許文献２】特開２０１１−１６９９１４号公報
【発明の概要】
【発明が解決しようとする課題】
【０００７】
しかしながら、従来の耐電圧試験法では、以下のような課題があった。
耐電圧試験対象物として、例えば、スイッチング電源装置等の電源装置は、屋外で使用する車両等に搭載する場合、水、粉塵等の浸入を防止するために、この電源装置が樹脂封止されることがある。電源装置が樹脂で覆われていると、耐電圧試験の際に、治具によりリレー用接点を短絡することができない。この際、リレー用接点がオープン状態であるため、１次側端子及びＦＧ端子間と、１次側端子及び２次側端子間とに、それぞれ試験電圧を印加できないので、耐電圧試験を行うことができなかった。
【課題を解決するための手段】
【０００８】
本発明の耐電圧試験法は、入力用の１次側端子及び出力用の２次側端子と、動作時にオープン状態からクローズ状態に切り替えられて前記１次側端子から入力される入力電力を取り込むノーマリー・オープン形のリレー用接点を有し、前記リレー用接点により取り込まれた前記入力電力に対して所定の電気的処理を行い、この処理結果の出力電力を前記２次側端子から出力する内部回路と、前記リレー用接点を含めた前記内部回路を封止する封止部材と、を備えた耐電圧試験対象物に対し、前記１次側端子と前記２次側端子との間に所定の試験電圧を印加して、前記耐電圧試験対象物の絶縁破壊の有無を確認する耐電圧試験法において、前記封止部材の外面に試験用端子を設けておき、物理的方法又は電気的方法により、前記試験用端子を介して前記リレー用接点箇所を短絡状態にして、前記試験電圧を印加することを特徴とする。
【０００９】
本発明の耐電圧試験対象物は、入力用の１次側端子及び出力用の２次側端子と、動作時にオープン状態からクローズ状態に切り替えられて前記１次側端子から入力される入力電力を取り込むノーマリー・オープン形のリレー用接点を有し、前記リレー用接点により取り込まれた前記入力電力に対して所定の電気的処理を行い、この処理結果の出力電力を前記２次側端子から出力する内部回路と、前記リレー用接点を含めた前記内部回路を封止する封止部材と、を備えた耐電圧試験対象物において、前記封止部材の外面に配置された試験用端子と、前記試験用端子を介して物理的又は電気的に前記リレー用接点箇所を短絡状態にする短絡手段と、を設けたことを特徴とする。
【発明の効果】
【００１０】
本発明の耐電圧試験法及び耐電圧試験対象物によれば、内部回路が封止部材により封止された耐電圧試験対象物に対して耐電圧試験を行う場合、物理的方法又は電気的方法により（或いは、物理的又は電気的な短絡手段により）、試験用端子を介してリレー用接点箇所を短絡状態にして、試験電圧を印加するようにしているので、封止部材により封止された耐電圧試験対象物に対して、簡単且つ的確に耐電圧試験を行うことが可能である。
【図面の簡単な説明】
【００１１】
【図１】図１は本発明の実施例１における耐電圧試験対象物の耐電圧試験法を説明する概略の回路図である。
【図２】図２は本発明の実施例２における耐電圧試験対象物の耐電圧試験法を説明する概略の回路図である。
【発明を実施するための形態】
【００１２】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１３】
（実施例１の構成等）
図１は、本発明の実施例１における耐電圧試験対象物の耐電圧試験法を説明する概略の回路図である。
【００１４】
本実施例１の耐電圧試験対象物は、例えば、電源装置の１つであるスイッチング電源装置１であり、耐電圧試験装置５０を用いて耐電圧試験を行うようになっている。
【００１５】
スイッチング電源装置１は、ＡＣ電力Ｐｉｎを入力する２つの１次側端子Ｔｉｎ１，Ｔｉｎ２と、ＤＣ電力Ｐｏｕｔを出力する２つの２次側端子Ｔｏｕｔ１，Ｔｏｕｔ２とを有している。これらの１次側端子Ｔｉｎ１，Ｔｉｎ２と２次側端子Ｔｏｕｔ１，Ｔｏｕｔ２との間には、２つのリレー用接点１１，１２、２つの接地コンデンサ１３，１４、整流回路１５、力率改善（以下「ＰＦＣ」という。）回路２０、及びＤＣ／ＤＣコンバータ３０を有する内部回路としての電源回路（例えば、スイッチング電源回路）が接続され、このスイッチング電源回路の全体が、封止部材（例えば、樹脂部材）ＭＲにより樹脂封止されている。
【００１６】
２つのリレー用接点１１，１２は、ノーマリー・オープン形（即ち、動作時にクローズ状態、非動作時にオープン状態になる形式）の接点であり、外部から入力されるスイッチ切り替え信号Ｓ１１，Ｓ１２によりオープン状態からクローズ状態に切り替えられる。一方のリレー用接点１１は、１次側端子Ｔｉｎ１と接続点Ｎ１との間に接続され、他方のリレー用接点１２は、１次側端子Ｔｉｎ２と接続点Ｎ２との間に接続されている。接続点Ｎ１及びＮ２間には、接地コンデンサ１３、接続点Ｎ３、及び接地コンデンサ１４が直列に接続されている。接続点Ｎ３は、樹脂部材ＭＲの外面に配設されたＦＧ端子Ｔｆｇに接続されている。接続点Ｎ１，Ｎ２の出力側には、整流回路１５が接続されている。整流回路１５は、接続点Ｎ１，Ｎ２からのＡＣ電流を整流する回路であり、ダイオードブリッジ回路等により構成され、この出力側に、ＰＦＣ回路２０が接続されている。
【００１７】
ＰＦＣ回路２０は、１次側端子Ｔｉｎ１，Ｔｉｎ２側におけるＡＣ電圧に対するＡＣ電流の位相差（力率）を改善する回路であり、インダクタ２１と、電界効果トランジスタ（以下「ＦＥＴ」という。）等のスイッチング素子２２と、ダイオード２３及び平滑コンデンサ２４からなる整流平滑回路と、を有している。インダクタ２１及びダイオード２３は、整流回路１５の出力側と接続点Ｎ４との間に直列に接続されている。インダクタ２１及びダイオード２３の接続点と、整流回路１５の出力側の接続点Ｎ５との間には、スイッチング素子２２が接続されている。スイッチング素子２２は、図示しないＰＦＣ制御部から与えられるスイッチ切り替え信号によりオン／オフ動作する。ＰＦＣ制御部は、図示しない電流測定部及び電圧測定部により測定されるＰＦＣ回路２０内の電流及び電圧に基づき、力率を改善するためのパルス幅のスイッチ切り替え信号を生成し、スイッチング素子２２のオン／オフ状態を制御する回路である。接続点Ｎ４及びＮ５間には、平滑コンデンサ２４が接続され、更に、その接続点Ｎ４及びＮ５の出力側に、ＤＣ／ＤＣコンバータ３０が接されている。
【００１８】
ＤＣ／ＤＣコンバータ３０は、接続点Ｎ４及びＮ５から出力されるＤＣ電力を、ＡＣ電力に変換した後、更に、ＤＣ電力に変換する回路であり、コンデンサ２４と、ＦＥＴ等の２つのスイッチング素子３２，３３と、１次巻線３４ａ及び２次巻線３４ｂを有する高周波用トランス３４と、２つのダイオード３５，３６、インダクタ３７、及び平滑コンデンサ３８からなる整流平滑回路と、を有している。コンデンサ３１は、接続点Ｎ４及びＮ５間に接続されている。更に、接続点Ｎ４及びＮ５間には、スイッチング素子３２、トランス３４の１次巻線３４ａ、及びスイッチング素子３３からなる直列回路が接続されている。２つのスイッチング素子３２，３３は、図示しないＤＣ／ＤＣ制御部から与えられるスイッチ切り替え信号によりオン／オフ動作する。ＤＣ／ＤＣ制御部は、図示しない電圧測定部及び電流測定部により測定されるＤＣ電力Ｐｏｕｔの出力電圧及び出力電流に基づき、この出力電圧或いは出力電流を一定にするためのパルス幅のスイッチ切り替え信号を生成し、スイッチング素子３２，３３のオン／オフ状態を制御する回路である。
【００１９】
平滑コンデンサ３８の両端には、２つの２次側端子Ｔｏｕｔ１，Ｔｏｕｔ２が接続され、この２次側端子Ｔｏｕｔ１，Ｔｏｕｔ２に、バッテリ等の負荷３９が接続される。
【００２０】
２つのリレー用接点１１，１２のクローズ／オープン状態を切り替えるためのスイッチ切り替え信号Ｓ１１，Ｓ１２は、例えば、樹脂部材ＭＲの外側に設けられた漏電遮断回路１６から与えられる。ＡＣ電力Ｐｉｎの両極性側には、２つの電流検出部１７，１８が接続され、この２つの電流検出部１７，１８により、常時、ＡＣ電力Ｐｉｎの両極性におけるＡＣ電流が検出され、漏電遮断回路１６へ与えられる。漏電遮断回路１６は、２つの電流検出部１７，１８により検出された電流値に基づき、漏電電流が発生しているか否かを判定し、漏電電流が発生していると判定した時には、リレー用接点１１，１２をクローズ状態からオープン状態へ切り替える機能を有している。
【００２１】
このような構成のスイッチング電源装置１は、例えば、次のように動作する。
電源電圧が漏電遮断回路１６に印加されると、この漏電遮断回路１６からスイッチ切り替え信号Ｓ１１，Ｓ１２が出力され、リレー用接点１１，１２がオープン状態からクローズ状態に切り替えられる。ＡＣ電力Ｐｉｎが電流検出部１７，１８を介して１次側端子Ｔｉｎ１，Ｔｉｎ２に入力されると、そのＡＣ電力Ｐｉｎがリレー用接点１１，１２を介して接続点Ｎ１，Ｎ２へ送られる。接続点Ｎ１，Ｎ２へ送られたＡＣ電力Ｐｉｎは、接地コンデンサ１３，１４によってノイズが除去され、整流回路１５により整流されてＤＣ電力に変換される。変換されたＤＣ電力は、ＰＦＣ回路２０において、インダクタ２１と、オン／オフ動作するスイッチング素子２２とにより、ＡＣ電力に変換されて力率が改善される。
【００２２】
力率が改善されたＡＣ電力は、ダイオード２３及び平滑コンデンサ２４によって整流及び平滑され、ＤＣ電力に変換される。変換されたＤＣ電力は、ＤＣ／ＤＣコンバータ３０において、スイッチング素子３２，３３によりスイッチングされてＡＣ電力に変換され、トランス３４により電圧レベルが変換される。電圧レベルが変換されたＡＣ電力は、ダイオード３５，３６、インダクタ３７及び平滑コンデンサ３８により、整流及び平滑されてＤＣ電力に変換され、負荷３９の変動に関わらず、一定の電圧値又は電流値を有する所望のＤＣ出力電力Ｐｏｕｔが、２次側端子Ｔｏｕｔ１，Ｔｏｕｔ２から出力されて、バッテリ等の負荷３９へ供給される。
【００２３】
スイッチング電源装置１の動作中、漏電遮断回路１６は、２つの電流検出部１７，１８により検出された２つの電流値の差分が、所定の閾値を超えるか否かを監視（モニタ）し、その差分が閾値を超えると、漏電電流が発生したと判定し、リレー用接点１１，１２をオープン状態に切り替え、スイッチング電源装置１へのＡＣ電力Ｐｉｎの入力を遮断し、スイッチング電源装置１の動作を停止させる。
【００２４】
以上のようなスイッチング電源装置１において、耐電圧試験を可能にするために、２つのリレー用接点１１，１２のうちの一方のリレー用接点１１の両端の電極に、２つの試験用端子Ｔｒ１１，Ｔｒ１２が接続され、他方のリレー用接点１２の両端の電極にも、２つの試験用端子Ｔｒ２１，Ｔｒ２２が接続され、これらの試験用端子Ｔｒ１１，Ｔｒ１２，Ｔｒ２１，Ｔｒ２２が、樹脂部材ＭＲの外面に配置されている。
【００２５】
スイッチング電源装置１の耐電圧試験時には、樹脂部材ＭＲの外側から、２つの試験用端子Ｔｒ１１及びＴｒ１２間に、物理的にリレー用接点１１箇所を短絡状態にする短絡手段（例えば、外付けのスイッチ）４１が接続されると共に、２つの試験用端子Ｔｒ２１及びＴｒ２２間にも、物理的にリレー用接点１２箇所を短絡状態にする短絡手段（例えば、外付けのスイッチ）４２が接続される。各スイッチ４１，４２は、例えば、スイッチング電源装置１の外部の耐電圧試験装置５０から供給される各スイッチ切り替え信号Ｓ４１，Ｓ４２により、それぞれオン／オフ状態が切り替えられる。スイッチ４１，４２は、耐電圧試験終了後に不要となるので、試験用端子Ｔｒ１１，Ｔｒ１２，Ｔｒ２１，Ｔｒ２２から切り離される。
【００２６】
耐電圧試験装置５０は、例えば、電圧供給部５１、電圧測定部５２、電流測定部５３、及びスイッチ制御部５４を有している。電圧供給部５１は、１次側端子Ｔｉｎ１及びＴｉｎ２と２次側端子Ｔｏｕｔ１及びＴｏｕｔ２との間と、１次側端子Ｔｉｎ１及びＴｉｎ２とＦＧ端子Ｔｆｇとの間とに、それぞれ印加するための所定の試験電圧（例えば、数千ボルトのＡＣ電圧）Ｖｔを供給するものである。電圧測定部５２は、スイッチング電源装置１における所定箇所の電圧を測定するものである。電流測定部５３は、ＦＧ端子Ｔｆｇ及びグランドＧＮＤ間に流れる漏洩電流を測定するものである。更に、スイッチ制御部５４は、スイッチ切り替え信号Ｓ４１，Ｓ４２を出力するものである。
【００２７】
（実施例１の耐電圧試験法）
例えば、電源装置のメーカでは、製品出荷前に、図１のスイッチング電源装置１における絶縁破壊の有無を確認するために、以下のような耐電圧試験を行う。
【００２８】
耐電圧試験を行う場合、スイッチング電源装置１を覆う樹脂部材ＭＲの外面に設けられた試験用端子Ｔｒ１１，Ｔｒ１２と試験用端子Ｔｒ２１，Ｔｒ２２とに、予め、外付けのスイッチ４１とスイッチ４２とを接続しておく。更に、耐電圧試験装置５０を用意しておく。
【００２９】
スイッチング電源装置１の１次側端子Ｔｉｎ１，Ｔｉｎ２から、電流検出部１７，１８及びＡＣ電力Ｐｉｎ源を切り離し、この１次側端子Ｔｉｎ１及びＴｉｎ２を相互に接続して短絡する。更に、２次側端子Ｔｏｕｔ１及びＴｏｕｔ２を相互に接続して短絡する。電源電圧が漏電遮断回路１６に印加されていないので、リレー用接点１１，１２はオープン状態になっている。耐電圧試験装置５０内のスイッチ制御部５４からスイッチ切り替え信号Ｓ４１，Ｓ４２を出力し、スイッチ４１，４２をオン状態にして、試験用端子Ｔｒ１１，Ｔｒ１２を介してリレー用接点１１の両電極間を短絡すると共に、試験用端子Ｔｒ２１，Ｔｒ２２を介してリレー用接点１２の両電極間を短絡する。
【００３０】
耐電圧試験装置５０内の電圧供給部５１から供給される所定の試験電圧（例えば、数千ボルトのＡＣ電圧）Ｖｔを、１次側端子Ｔｉｎ１及びＴｉｎ２と２次側端子Ｔｏｕｔ１及びＴｏｕｔ２との間に印加する。すると、スイッチ４１，４２を介して１次側端子Ｔｉｎ１，Ｔｉｎ２と２次側端子Ｔｏｕｔ１，Ｔｏｕｔ２との間に試験用のＡＣ電流が流れる。スイッチング電源装置１内に絶縁劣化箇所や絶縁破壊箇所があると、ＦＧ端子Ｔｆｇ及びグランドＧＮＤ間に規定値以上の漏れ電流が流れるので、その規定値以上の漏れ電流を電流測定部５３により測定すれば、スイッチング電源装置１における１次側端子Ｔｉｎ１，Ｔｉｎ２と２次側端子Ｔｏｕｔ１，Ｔｏｕｔ２との間の絶縁破壊の有無を確認することができる。
【００３１】
又、所定の試験電圧Ｖｔを、１次側端子Ｔｉｎ１及びＴｉｎ２とＦＧ端子Ｔｆｇとの間に印加する。すると、スイッチ４１及び接地コンデンサ１３の経路と、スイッチ４２及び接地コンデンサ１４の経路と、にそれぞれ試験用のＡＣ電流が流れる。スイッチング電源装置１内に絶縁劣化箇所や絶縁破壊箇所があると、ＦＧ端子Ｔｆｇ及びグランドＧＮＤ間に規定値以上の漏れ電流が流れるので、その規定値以上の漏れ電流を電流測定部５３により測定すれば、スイッチング電源装置１における１次側端子Ｔｉｎ１，Ｔｉｎ２とＦＧ端子Ｔｓｇとの間の絶縁破壊の有無を確認することができる。
【００３２】
耐電圧試験終了後、良品のスイッチング電源装置１は、スイッチ４１，４２が不要になるので、試験用端子Ｔｒ１１，Ｔｒ１２，Ｔｒ２１，Ｔｒ２２から切り離されて出荷される。
【００３３】
（実施例１の効果）
本実施例１の耐電圧試験法及びスイッチング電源装置１によれば、スイッチング電源回路が樹脂部材ＭＲにより封止されているので、そのスイッチング電源装置１に対して耐電圧試験を行う場合、樹脂部材ＭＲの外側に設けた外付けのスイッチ４１，４２により、リレー用接点１１，１２箇所を短絡状態にして、試験電圧Ｖｔを印加するようにしているので、樹脂部材ＭＲにより封止されたスイッチング電源装置１に対して、簡単且つ的確に耐電圧試験を行うことが可能である。
【実施例２】
【００３４】
（実施例２の構成）
図２は、本発明の実施例２における耐電圧試験対象物の耐電圧試験法を説明する概略の回路図であり、実施例１を示す図１中の要素と共通の要素には共通の符号が付されている。
【００３５】
本実施例２の耐電圧試験対象物は、実施例１と同様に、例えば、スイッチング電源装置１Ａであり、耐電圧試験装置５０Ａを用いて耐電圧試験を行うようになっている。
【００３６】
本実施例２のスイッチング電源装置１Ａでは、実施例１のスイッチング電源装置１を封止している樹脂部材ＭＲの外側に接続されるスイッチ４１，４２に代えて、電気的方法により、試験用端子Ｔｒ１１，Ｔｒ１２を介してリレー接点１１箇所を短絡状態にする短絡手段（例えば、樹脂部材ＭＲ内において、リレー接点１１の近傍に配置され、且つ試験用端子Ｔｒ１１及びＴｒ１２間に接続された励磁用コイル）４１Ａと、電気的方法により、試験用端子Ｔｒ２１，Ｔｒ２２を介してリレー接点１２箇所を短絡状態にする短絡手段（例えば、樹脂部材ＭＲ内において、リレー接点１２の近傍に配置され、且つ試験用端子Ｔｒ２１及びＴｒ２２間に接続された励磁用コイル）４２Ａと、が樹脂部材ＭＲ内に埋設されている。
【００３７】
又、本実施例２の耐電圧試験装置５０Ａは、実施例１の耐電圧試験装置５０における電圧供給部５１とは異なる構成の電圧供給部５１Ａと、実施例１と同様の電圧測定部５２及び電流測定部５３と、を有している。本実施例２の電圧供給部５１Ａは、実施例１と同様の試験電圧Ｖｔを供給する他に、励磁用コイル４１Ａ及び４２Ａを励磁するための励磁用電圧Ｖｄを供給する機能を有している。励磁用コイル４１Ａ及び４２Ａは、励磁用電圧Ｖｄが印加されると、リレー用接点１１及び１２をオープン状態からクローズ状態に切り替える機能を有している。その他の構成は、実施例１と同様である。
【００３８】
（実施例２の耐電圧試験法）
スイッチング電源装置１Ａの耐電圧試験を行う場合、実施例１と同様に、スイッチング電源装置１Ａの１次側端子Ｔｉｎ１，Ｔｉｎ２から、電流検出部１７，１８及びＡＣ電力Ｐｉｎ源を切り離し、この１次側端子Ｔｉｎ１及びＴｉｎ２を相互に接続して短絡する。更に、２次側端子Ｔｏｕｔ１及びＴｏｕｔ２を相互に接続して短絡する。電源電圧が漏電遮断回路１６に印加されていないので、リレー用接点１１，１２はオープン状態になっている。耐電圧試験装置５０Ａ内の電源供給部５１Ａから試験用端子Ｔｒ１１，Ｔｒ１２及びＴｒ２１，Ｔｒ２２へ励磁用電圧Ｖｄを供給し、励磁用コイル４１Ａ，４２Ａによってリレー用接点１１，１２をオープン状態からクローズ状態に切り替える。
【００３９】
実施例１と同様に、耐電圧試験装置５０Ａ内の電圧供給部５１Ａから供給される所定の試験電圧（例えば、数千ボルトのＡＣ電圧）Ｖｔを、１次側端子Ｔｉｎ１及びＴｉｎ２と２次側端子Ｔｏｕｔ１及びＴｏｕｔ２との間に印加する。すると、リレー接点１１，１２を介して１次側端子Ｔｉｎ１，Ｔｉｎ２と２次側端子Ｔｏｕｔ１，Ｔｏｕｔ２との間に試験用のＡＣ電流が流れる。スイッチング電源装置１Ａ内に絶縁劣化箇所や絶縁破壊箇所があると、ＦＧ端子Ｔｆｇ及びグランドＧＮＤ間に規定値以上の漏れ電流が流れるので、その規定値以上の漏れ電流を電流測定部５３により測定すれば、スイッチング電源装置１Ａにおける１次側端子Ｔｉｎ１，Ｔｉｎ２と２次側端子Ｔｏｕｔ１，Ｔｏｕｔ２との間の絶縁破壊の有無を確認することができる。
【００４０】
又、実施例１と同様に、所定の試験電圧Ｖｔを、１次側端子Ｔｉｎ１及びＴｉｎ２とＦＧ端子Ｔｆｇとの間に印加する。すると、リレー接点１１及び接地コンデンサ１３の経路と、リレー接点１２及び接地コンデンサ１４の経路と、にそれぞれ試験用のＡＣ電流が流れる。スイッチング電源装置１Ａ内に絶縁劣化箇所や絶縁破壊箇所があると、ＦＧ端子Ｔｆｇ及びグランドＧＮＤ間に規定値以上の漏れ電流が流れるので、その規定値以上の漏れ電流を電流測定部５３により測定すれば、スイッチング電源装置１Ａにおける１次側端子Ｔｉｎ１，Ｔｉｎ２とＦＧ端子Ｔｓｇとの間の絶縁破壊の有無を確認することができる。
【００４１】
（実施例２の効果）
本実施例２の耐電圧試験法及びスイッチング電源装置１Ａによれば、スイッチング電源回路が樹脂部材ＭＲにより封止されているので、そのスイッチング電源装置１Ａに対して耐電圧試験を行う場合、励磁用電圧Ｖｄが印加される励磁用コイル４１Ａ，４２Ａにより、リレー用接点１１，１２をクローズ状態に切り替えて、試験電圧Ｖｔを印加するようにしているので、実施例１と同様に、樹脂部材ＭＲにより封止されたスイッチング電源装置１Ａに対して、簡単且つ的確に耐電圧試験を行うことが可能である。
【００４２】
更に、本実施例２では、励磁用コイル４１Ａ，４２Ａが樹脂部材ＭＲ内に埋設されているので、耐電圧試験終了後、良品のスイッチング電源装置１Ａは、実施例１のようにスイッチ４１，４２を切り離す必要がなく、そのまま出荷できるので、余分な切り離し作業を省略できる。
【００４３】
（変形例）
本発明は、上記実施例１、２に限定されず、種々の利用形態や変形が可能である。この利用形態や変形例としては、例えば、次の（ａ）〜（ｃ）のようなものがある。
【００４４】
（ａ）  実施例１、２では、耐電圧試験対象物として、スイッチング電源装置１，１Ａの例を説明したが、このスイッチング電源装置１，１Ａは、図示以外の他の回路構成のスイッチング電源装置であっても良い。更に、スイッチング電源装置以外の他の電源装置や、その他の電子・電気装置であっても、本発明を適用できる。
【００４５】
（ｂ）  リレー用接点１１，１２箇所を物理的方法により短絡状態にする短絡手段は、図１に示す外付けのスイッチ４１，４２の他に、耐電圧試験時において試験用端子Ｔｒ１１及びＴｒ１２間と試験用端子Ｔｒ２１及びＴｒ２２間とをそれぞれ短絡して耐電圧試験後において削除する外付けのリード線やヒューズ等であっても良い。
【００４６】
（ｃ）  スイッチング電源装置１，１Ａに接続される図示しないＰＦＣ制御部及びＤＣ／ＤＣ制御部等の周辺回路も、樹脂部材ＭＲにより封止しても良い。又、樹脂部材ＭＲは、他の絶縁部材を含む封止部材であっても良い。
【符号の説明】
【００４７】
１，１Ａ      スイッチング電源装置
１１，１２      リレー接点
１６      漏電遮断回路
４１，４２      スイッチ
４１Ａ，４２Ａ      励磁用コイル
５０，５０Ａ      耐電圧試験装置
５１，５１Ａ      電圧供給部
５３      電流測定部
５４      スイッチ制御部
ＭＲ      樹脂部材
Ｔｆｇ      ＦＧ端子
Ｔｉｎ１，Ｔｉｎ２      １次側端子
Ｔｏｕｔ１，Ｔｏｕｔ２      ２次側端子
Ｔｒ１１，Ｔｒ１２，Ｔｒ２１，Ｔｒ２２      試験用端子
【図１】
2014106134.tif 000003
【図２】
2014106134.tif 000004